(57)【要約】【課題】使用者がスイッチ状態をスムーズに変更可能であるスライドスイッチの提供を目的とする。【解決手段】本発明に係るスライドスイッチ１００は、スイッチパターン12aに向かう方向にスライド操作されるのに応じて、当接部13bが当接することにより突起部24bを押し下げ、スイッチパターン12bの接続状態を変化させる一方、スイッチパターン12bに向かう方向にスライド操作されるのに応じて、当接部13aが当接することにより突起部24aを押し下げ、スイッチパターン12aの接続状態を変化させる。【選択図】図７
2010170929.tif 000002
【特許請求の範囲】
【請求項１】
押圧されることにより、接続状態が変化する第１のスイッチ及び第２のスイッチと、
前記第１のスイッチに当接可能な第１の突起と、
前記第２のスイッチに当接可能な第２の突起と、
前記第１の突起の両端のうち前記第１のスイッチと当接する第１のスイッチ側端部とは反対の端部である第１のスライド側端部と当接可能な第１の当接部と、前記第２の突起の両端のうち前記第２のスイッチと当接する第２のスイッチ側端部とは反対の端部である第２のスライド側端部と当接可能な第２の当接部と、を有し、前記第１のスイッチと前記第２のスイッチとを結ぶ方向に沿ってスライド可能なスライド部と、を備え、
前記スライド部は、
前記第１のスイッチに向かう方向にスライド操作されるのに応じて、前記第２の当接部が当接することにより前記第２の突起部を押し下げ、前記第２のスイッチの接続状態を変化させる一方、
前記第２のスイッチに向かう方向にスライド操作されるのに応じて、前記第１の当接部が当接することにより前記第１の突起部を押し下げ、前記第１のスイッチの接続状態を変化させる、
スライドスイッチ。
【請求項２】
押圧されることにより、接続状態が変化する第１のスイッチ及び第２のスイッチと、
前記第１のスイッチに当接可能な第１の突起と、
前記第２のスイッチに当接可能な第２の突起と、
前記第１の突起の両端のうち前記第１のスイッチと当接する第１のスイッチ側端部とは反対の端部である第１のスライド側端部と当接可能な第１の当接部と、前記第２の突起の両端のうち前記第２のスイッチと当接する第２のスイッチ側端部とは反対の端部である第２のスライド側端部と当接可能な第２の当接部と、を有し、前記第１のスイッチと前記第２のスイッチとを結ぶ方向に沿ってスライド可能なスライド部と、を備え、
前記スライド部は、
前記第１のスイッチに向かう方向にスライド操作されるのに応じて、前記第1の当接部が当接することにより前記第1の突起部を押し下げ、前記第1のスイッチの接続状態を変化させる一方、
前記第２のスイッチに向かう方向にスライド操作されるのに応じて、前記第２の当接部が当接することにより前記第２の突起部を押し下げ、前記第２のスイッチの接続状態を変化させる、
スライドスイッチ。
【請求項３】
前記第１のスライド側端部及び前記第２のスライド側端部は、斜面状に形成されている、
請求項１又は２に記載のスライドスイッチ。
【請求項４】
前記第１の当接部および前記第２の当接部は、斜面状に形成されている、
請求項１又は２に記載のスライドスイッチ。
【請求項５】
押圧されることにより、接続状態が変化する第１のスイッチ及び第２のスイッチと、
前記第１のスイッチに当接可能な第１の突起と、
前記第２のスイッチに当接可能な第２の突起と、
前記第１の突起及び前記第２の突起とそれぞれ当接する当接部を有し、前記第１のスイッチと前記第２のスイッチとを結ぶ方向に沿ってスライド可能であり、スライドされることによって、前記第１の突起又は前記第２の突起を押し下げるスライド部と、を備え、
前記第１の突起と前記第２の突起は連結体によって連結され、
前記第１の突起、前記第２の突起および前記連結体は、一体成型により形成されている、
スライドスイッチ。
【請求項６】
前記第１のスイッチおよび前記第２のスイッチに対して、移動可能でない筐体により、前記連結体の略中央部が支持されている、
請求項５に記載のスライドスイッチ。
【請求項７】
前記スライド部は初期位置に自己復帰する、
請求項１から６のいずれかに記載のスライドスイッチ。
【請求項８】
前記第１のスイッチおよび前記第２のスイッチは防水材料で覆われている、
請求項１から７のいずれかに記載のスライドスイッチ。
【発明の詳細な説明】
【技術分野】
【０００１】
本発明はスライドスイッチに関する。特に防水対策を施したスライドスイッチに関する。
【背景技術】
【０００２】
特許文献１は防水型のスライドスイッチを開示している。特許文献１は、基板に設けたコンタクト対上にシール板を延設し、このシール板にはコンタクト対に対向する位置に導体片を設けている。そして、スライド摘みの移動によりシール板を弾性変形させたときに、導体片をコンタクト対に当接させてコンタクト対を電気的に接続する。
【特許文献１】特開平9-80608号公報
【発明の開示】
【発明が解決しようとする課題】
【０００３】
特許文献１のスライドスイッチは、スイッチ片のカム部が位置決め凹部に落ち込み、スイッチ状態が固定される。そのため、使用者がスライドスイッチにより撮影等に関する条件を調整したい場面のときに、スイッチ状態をスムーズに変更することができなかった。
【０００４】
本発明は上記事情を鑑みてなされたもので、使用者がスイッチ状態をスムーズに変更可能であるスライドスイッチの提供を目的とする。また、コンパクトな構成で、組み立ての容易なスライドスイッチの提供を目的とする。
【課題を解決するための手段】
【０００５】
上記課題を解決するために本発明に係るスライドスイッチは、押圧されることにより、接続状態が変化する第１のスイッチ及び第２のスイッチと、第１のスイッチに当接可能な第１の突起と、第２のスイッチに当接可能な第２の突起と、第１の突起の両端のうち第１のスイッチと当接する第１のスイッチ側端部とは反対の端部である第１のスライド側端部と当接可能な第１の当接部と、第２の突起の両端のうち第２のスイッチと当接する第２のスイッチ側端部とは反対の端部である第２のスライド側端部と当接可能な第２の当接部と、を有し、第１のスイッチと第２のスイッチとを結ぶ方向に沿ってスライド可能なスライド部とを備え、スライド部は、第１のスイッチに向かう方向にスライド操作されるのに応じて、第２の当接部が当接することにより第２の突起部を押し下げ、第２のスイッチの接続状態を変化させる一方、第２のスイッチに向かう方向にスライド操作されるのに応じて、第１の当接部が当接することにより第１の突起部を押し下げ、第１のスイッチの接続状態を変化させる。
【０００６】
また、本発明に係るスライドスイッチは、押圧されることにより、接続状態が変化する第１のスイッチ及び第２のスイッチと、第１のスイッチに当接可能な第１の突起と、第２のスイッチに当接可能な第２の突起と、第１の突起及び第２の突起とそれぞれ当接する当接部を有し、第１のスイッチと第２のスイッチとを結ぶ方向に沿ってスライド可能であり、スライドされることによって、第１の突起又は第２の突起を押し下げるスライド部とを備え、第１の突起と第２の突起は連結体によって連結され、第１の突起、第２の突起および連結体は、一体成型により形成されている。
【０００７】
本発明の好適な一様態によれば、第１のスイッチおよび第２のスイッチに対して、移動可能でない筐体により、連結体の略中央部が支持されている。
【発明の効果】
【０００８】
本発明のスライドスイッチによれば、使用者がスイッチ状態をスムーズに変更可能であるスライドスイッチを提供できる。また、コンパクトな構成で、組み立ての容易なスライドスイッチを提供できる。
【発明を実施するための最良の形態】
【０００９】
以下、添付図面を参照して本発明の好適な実施の形態を詳細に説明する。
〔１．  実施の形態１〕
本発明は例えば図１に示すように、デジタルカメラ９９に備わるスライドスイッチに適用できる。以下図面を用いて、デジタルカメラ９９に備わるスライドスイッチに適用した本発明の実施の形態１について説明する。
【００１０】
〔１−１．  構成〕
図２は本発明の実施の形態１に係るデジタルカメラ９９のスライドスイッチ１００の上方から見た分解斜視図を示す。図３は本発明の実施の形態１に係るデジタルカメラ９９のスライドスイッチ１００の下方から見た分解斜視図を示す。本実施の形態１に係るデジタルカメラ９９のスライドスイッチ１００は、摘み部材１、上飾２、バネ部材（３a、３b）スライド部材４、シーソー部材６、筐体上壁７、シール部材８、基板９とから構成される。
【００１１】
基板９はデジタルカメラ９９の電気回路に対する電気的な接続状態をスイッチするためのスイッチパターン12aとスイッチパターン12bとを有する。スイッチパターン12aとスイッチパターン12bは互いに近接配置され一対となって電気的接続状態をスイッチする。
【００１２】
シール部材８はゴム素材等の防水材料により形成されている。シール部材８は、基板９上の電気回路を覆って封止し、電気回路が水と接触するのを防ぐ。シール部材８は、スイッチパターン12aとスイッチパターン12bのそれぞれ対応する位置に被押下部11aと被押下部11bとを有する。被押下部11aと被押下部11bの基板側には導体片が配置されており、被押下部11aおよび被押下部11bの基板への押下により、スイッチパターン12aおよびスイッチパターン12bは通電し、デジタルカメラ９９の電気回路の電気状態が変化する。
【００１３】
図４はスライド部材４の下方から見た図である。スライド部材４は当接部13aおよび当接部13bを有する。図５はシーソー部材６を上方から見た図を示す。シーソー部材６は両端部に突起部24aと突起部24bとを有する。突起部24aと突起部24bの一端部には、スライド部材４の当接部13aと当節部13bのそれぞれと当接する被当接端部16aと被当接端部16bを有する。また、突起部24aと突起部24bの他端部には、シール部材８の被押下部11aと被押下部11bのそれぞれと当接する押下部17aと押下部17bを有する。なお、シーソー部材6の被当接部16aおよび16bは外側向きの斜面形状を有している。スライド部材４およびシーソー部材６の動作の詳細は後述する。
【００１４】
シーソー部６は中央部に係合部15aを有する。この係合部15aは、筐体上壁７の被係合部15bと係合し、シーソー部６の中央を筐体上壁７に載置する。また、筐体上壁７は、被係合部15bの両側であって、シーソー部６の押下部17aと押下部17bに対応する位置に開口部21aと開口部21bとを有する。シーソー部６の押下部17aおよび押下部17bは、開口部21aおよび開口部21bを通過してシール部材８の被押下部11aおよび被押下部11bを押下する。
【００１５】
摘み部材１は使用者の操作を受け付ける部材である。摘み部材１は上面の中央付近に盛り上がった溝部２２を備える。この溝部２２は、使用者の操作における滑り止めの役割をし、使い勝手を良くする。また、摘み部材1は下面に突起部１９aを備える。突起部１９aは、上飾２を貫通した開口部２０を通して、スライド部材４の嵌穴部１９bに嵌挿される。さらに、留めピン５aは、スライド部材４を貫通した開口部5bおよび摘み部材１の嵌穴部5cに嵌挿される。これらにより、摘み部材１とスライド部材４は固定され、使用者の操作により一体に動く。
【００１６】
スライド部材４は窪み14aと窪み14bを有する。これら窪み14aと窪み14bにはそれぞれバネ部材3aとバネ部材3bが配置される。また、上飾２の裏面には、バネ部材3aとバネ部材3bの弾性力を受け止めるための受止壁23aと受止壁23bを有する。使用者の操作により、スライド部材４が受止壁23aの方向にスライド移動したとき、バネ部材3aはスライド部材４と一体にスライド移動しようとするところを受止壁23aに移動を受け止められ弾性力を蓄える。使用者が操作を解除すると、バネ部材3aは蓄えた弾性力を開放して、スライド部材４を初期位置に戻す。スライド部材４が受止壁23bの方向にスライド移動したときも同様である。
【００１７】
〔１−２．  動作〕
次に図６から図８を用いて、本実施の形態１に係るスライドスイッチ１００の動作を説明する。図６は、スライドスイッチ１００によるスイッチ接続状態がOFFのときの横図である。図７は、スライドスイッチ１００によるスイッチ接続状態がOFFからONまたは、ONからOFFに遷移する途中の横図である。図８は、スライドスイッチ１００によるスイッチ接続状態がONのときの横図である。
【００１８】
図６に示すように、スイッチ接続状態がオフのとき、スライド部材４の中央は上飾２の開口部２０の略中央に位置する。また、開口部２０は、スライド部材４がスライド移動できるように、摘み部材１の突起部19aよりも幅広く開口している。
【００１９】
使用者は、摘み部材１を指等で、摘み部材１と一体となったスライド部材４をスライド操作する。以下の説明において、スライド部材４に対しスイッチパターン12aの方向を右方向、スライド部材４に対しスイッチパターン12bの方向を左方向と呼ぶことにする。
【００２０】
スライドスイッチ１００が使用者の操作により左方向にスライド移動されると、スライド部材4の当接部13aは、シーソー部材6の被当接部16aの斜面と当接する。その後、当接部13aは被当接部16aと当接状態を維持しながら、被当接部16aの斜面に沿って移動していく。これに応じて図７に示すように、シーソー部材6の腕18aは押し下げられ弾性変化する。当接部13aが被当接部16aをある程度移動すると、図８に示すように、シーソー部材6の押下部17aは、シール部材8の被押下部11aを押下する。これにより、被押下部11aの基板側に配置された導体片がスイッチパターン12aと接触し、スイッチパターン12aは通電する。
【００２１】
また、スイッチパターン12aが通電しているとき、スライド部材４は窪み14bに配置されたバネ部材3bは受止壁23bに受け止められ弾性力を蓄えている。この状態で使用者が操作を解除すると、バネ部材3aは蓄えた弾性力を開放して、スライド部材４を図６の状態に戻す。また、シーソー部材6の突起部24aと24bは一体形成されており、中央部の係合部15aが筐体上壁７の被係合部15bに載置されている。そのため、シーソー部材６は、上述したように、当接部13aと被当接部16aの当接状態に応じて係合部15aを支点とした弾性変化をする。従って、スイッチパターン12aの通電時は、シーソー部材６も弾性力を蓄えている、そして、使用者の操作解除により、シーソー部６も蓄えた弾性力を開放して、スライド部材4を図６の状態に戻す動作に寄与する。
【００２２】
一方、図示していないが、スライドスイッチ１００が使用者の操作により右方向にスライド移動したときも同様である。このとき、スライド部材4の当接部13bは、シーソー部材6の被当接部16bの斜面と当接する。その後、当接部13bは被当接部16bと当接状態を維持しながら、被当接部16bの斜面に沿って移動していく。これに応じて、シーソー部材6の腕18bは押し下げられ弾性変化する。当接部13bが被当接部16bをある程度移動すると、図８に示すように、シーソー部材6の押下部17bは、シール部材8の被押下部11bを押下する。これにより、被押下部11bの基板側に配置された導体片がスイッチパターン12bと接触し、スイッチパターン12bは通電する。
【００２３】
また、スイッチパターン12bが通電しているとき、スライド部材４は窪み14aに配置されたバネ部材3aは受止壁23aに受け止められ弾性力を蓄えている。この状態で使用者が操作を解除すると、バネ部材3bは蓄えた弾性力を開放して、スライド部材４を図６の状態に戻す。シーソー部材６の弾性変化についても上記の左方向へのスライド時と同様である。
【００２４】
〔１−３．  本実施の形態１のまとめ〕
本実施の形態１に係るスライドスイッチ１００は、摘み部材１、上飾２、バネ部材（３a、３b）スライド部材４、シーソー部材６、筐体上壁７、シール部材８、基板９とから構成される。スライド部材4は当接部13aと13bとを備える。シーソー部材6は、被当接部16aと被当接部16bおよび、押下部17aと押下部17bとを備える。シール部材8は被押下部11aと被押下部11bとを備える。また、基板9はスイッチパターン12aとスイッチパターン12bとを備える。
【００２５】
本実施の形態１に係るスライドスイッチ１００は、スイッチパターン12aに向かう方向にスライド操作されるのに応じて、当接部13bが当接することにより突起部24bを押し下げ、スイッチパターン12bの接続状態を変化させる一方、スイッチパターン12bに向かう方向にスライド操作されるのに応じて、当接部13aが当接することにより突起部24aを押し下げ、スイッチパターン12aの接続状態を変化させる。これにより、本実施の形態１に係るスライドスイッチ１００は、スライド方向とは逆方向のスイッチを押し下げるようにしたため、スライドスイッチをスライドする際に、操作者の作用点が突起を押し下げる力の作用点に比べて、スライド方向の前方に位置することになる。そのため、押し付ける力ではなく、引っ張り力によりスイッチに対する押下力を発生させるため、引っかかりを低減しつつ使用者による力をスムーズにスイッチまで伝えることができる。
【００２６】
また、本実施の形態１に係るスライドスイッチ１００は、シーソー部材６の被当接部16a及び被当接部16bが斜面形状に形成されている。これにより、本実施の形態１に係るスライドスイッチ１００の当接部１３aおよび当接部１３bは、スライド部材４のスライド動作による、突起部24aおよび突起部24bへの引っ掛かりを低減できる。そのため、本実施の形態１に係るスライドスイッチ１００のスライド部材４は、突起部24aおよび突起部24bに対して押下する力をスムーズに伝達することができる。
【００２７】
上記では、被当接部16a及び被当接部16bが斜面状に形成されている場合を説明したが、本発明に係るスライドスイッチ１００はこれに限定しない。スライド部材４の当接部13aおよび当接部13bが斜面形状に形成されていてもよい。その場合、スライド部材４の当接部13aおよび当接部13bは、図９に示すように、内側向きに斜面状で形成される。これにより、本実施の形態１に係るスライドスイッチ１００の突起部24aおよび突起部24bは、スライド部材４のスライド動作による当接部１３aおよび当接部１３bへの引っ掛かりを低減できる。そのため、本実施の形態１に係るスライドスイッチ１００のスライド部材４は、突起部24aおよび突起部24bに対して押下する力をスムーズに伝達することができる。
【００２８】
また、本実施の形態１に係るスライドスイッチ１００は、突起部24aと突起部24bが連結体によって連結され、一体成型により形成されている。これにより、本実施の形態１に係るスライドスイッチ１００は、スライドスイッチの製造工程において、突起部24aと突起部24bをスイッチパターン12aおよびスイッチパターン12bに載置しやすくなる。そのため、スライドスイッチの製造を容易化できる。
【００２９】
また、本実施の形態１に係るスライドスイッチ１００は、スイッチパターン12aおよびスイッチパターン12bに対して、移動可能でない筐体により、連結体の略中央部が支持されている。これにより、本実施の形態１に係るスライドスイッチ１００は、シーソー部材６が安定配置される。そのため、使用者はスライドスイッチ１００の安定した繰り返し操作ができる。
【００３０】
また、本実施の形態１に係るスライドスイッチ１００は、スライド部材4が初期位置に自己復帰する。これにより、本実施の形態１に係るスライドスイッチ１００は、使用者による操作が解除されると、スイッチパターン12aおよびスイッチパターン12bの電気的接続も自動的に解除する。例えば、スライドスイッチ１００により撮影条件を調整しているとき等に有効である。このとき、使用者は所望の撮影条件に調整されたタイミングで操作を解除すれば、その撮影条件を維持したままスライドスイッチ１００を初期位置に戻すことができる。
【００３１】
更にまた、本実施の形態１に係るスライドスイッチ１００は、スイッチパターン12aおよびスイッチパターン12bはシール部材8で覆われている。これにより、本実施の形態１に係るスライドスイッチ１００は、水中や水辺のようにデジタルカメラ９９が水と接触する、あるいは接触し得る環境下においても、使用者は撮影動作を通常に行うことができる。なお、本実施の形態１に係るスライドスイッチ１００は、スイッチパターン（12a、12b）を縦方向に押圧できる。そのため、シール部材８で覆われている状態であっても、スイッチパターン（12a、12b）の電気的接続状態をスイッチすることができる。
〔2．  実施の形態2〕
以下図面を用いて、デジタルカメラ９９に備わるスライドスイッチに適用した本発明の実施の形態２について説明する。
【００３２】
〔２−１．  構成〕
図１０に示すように、本実施の形態２に係るスライドスイッチ１００は、シーソー部材6の被当接部16aおよび16bが内側向きの斜面形状を有している。それ以外の構成は上記の実施の形態１と同じのため、説明を省略する。
【００３３】
〔２−２．  動作〕
以下の説明において、スライド部材４に対しスイッチパターン12aの方向を右方向、スライド部材４に対しスイッチパターン12bの方向を左方向と呼ぶことにする。
【００３４】
スライドスイッチ１００が使用者の操作により左方向にスライド移動されると、スライド部材4の当接部13bは、シーソー部材6の被当接部16bの斜面と当接する。その後、当接部13bは被当接部16bと当接状態を維持しながら、被当接部16bの斜面を押し下げていく。当接部13bが被当接部16bをある程度押し下げると、シーソー部材6の押下部17bは、シール部材8の被押下部11bを押下する。これにより、被押下部11bの基板側に配置された導体片がスイッチパターン12bと接触し、スイッチパターン12bは通電する。
【００３５】
一方、スライドスイッチ１００が使用者の操作により右方向にスライド移動したときも同様である。このとき、スライド部材4の当接部13aは、シーソー部材6の被当接部16aの斜面と当接する。その後、当接部13aは被当接部16aと当接状態を維持しながら、被当接部16aの斜面を押し下げていく。当接部13aが被当接部16aをある程度押し下げると、シーソー部材6の押下部17aは、シール部材8の被押下部11aを押下する。これにより、被押下部11aの基板側に配置された導体片がスイッチパターン12aと接触し、スイッチパターン12aは通電する。
【００３６】
〔２−３．  本実施の形態２のまとめ〕
本実施の形態２に係るスライドスイッチ１００は、スイッチパターン12aに向かう方向にスライド操作されるのに応じて、当接部13aが当接することにより突起部24aを押し下げ、スイッチパターン12aの接続状態を変化させる一方、スイッチパターン12bに向かう方向にスライド操作されるのに応じて、当接部13bが当接することにより突起部24bを押し下げ、スイッチパターン12aの接続状態を変化させる。これにより、本実施の形態２に係るスライドスイッチ１００は、使用者のスライド操作において、スイッチパターン（12a、12b）を縦方向に押圧することができる。また、本実施の形態２に係るスライドスイッチ１００は、スライド部材4のスライド方向の幅を小さくすることができる。すなわち、コンパクトに構成することができる。
【００３７】
上記では、シーソー部材６の被当接部16a及び被当接部16bが斜面状に形成されている場合を説明したが、本実施の形態２に係るスライドスイッチ１００はこれに限定しない。スライド部材４の当接部13aおよび当接部13bが斜面形状に形成されていてもよい。その場合、スライド部材４の当接部13aおよび当接部13bは図１１に示すように、外側向きに斜面状に形成される。
〔３．  他の実施の形態〕
上記では、スイッチ接続状態がオンとオフの択一の場合を説明したが、本発明に係るスライドスイッチ１００はこれに限定しない。スライド部材4の当接部13aおよび当接部13bの、シーソー部材6の被当接部16aおよび被当接部16bへの当接状態により、スイッチ接続状態が連続的に変化してもよい。
【００３８】
上記では、シール部材8により、基板９のスイッチパターン12aおよびスイッチパターン12b等の電気回路を封止する場合を説明したが、本発明はこれに限定しない。すなわち、シール部材８が存在しないスライドスイッチにも本発明は適用可能である。その場合、例えばシーソー部材6の押下部17aおよび17bに導体片を配置する等して、スイッチパターン12aおよびスイッチパターン12bが通電をスイッチできるように構成する。
【００３９】
上記では、デジタルカメラ９９の上面にスライドスイッチ１００が配置された場合を説明したが、本発明はこれに限定しない。すなわち、本発明に係るスライドスイッチ１００は、デジタルカメラ９９の側面であっても、下面にあってもよく、配置する場所に限定されない。
【００４０】
本発明に係るスライドスイッチ１００は、例えばデジタルカメラ９９のフォーカス位置調節、ズーム倍率調節、シャッタースピードの調節、絞り値の調節、露出補正値の調節、ISO感度の調節などの撮影条件を調整するためのスイッチとして適用可能である。
【産業上の利用可能性】
【００４１】
本発明に係るスライドスイッチはデジタルカメラへの適用に限定されるものではなく、スイッチ機構を備えた電子機器であれば適用することができる。
【図面の簡単な説明】
【００４２】
【図１】本発明の実施の形態１に係るデジタルカメラの斜視図
【図２】本発明の実施の形態１に係るデジタルカメラの分解斜視図
【図３】本発明の実施の形態１に係るデジタルカメラの分解斜視図
【図４】本発明の実施の形態１に係るスライド部材の図
【図５】本発明の実施の形態１に係るシーソー部材の図
【図６】本発明の実施の形態１に係るスライドスイッチOFFのときの状態図
【図７】本発明の実施の形態１に係るスライドスイッチOFFからONの状態遷移図
【図８】本発明の実施の形態１に係るスライドスイッチONのときの状態図
【図９】本発明の実施の形態１に係るスライドスイッチのイメージ図
【図１０】本発明の実施の形態２に係るスライドスイッチのイメージ図
【図１１】本発明の実施の形態２に係るスライドスイッチのイメージ図
【符号の説明】
【００４３】
１    摘み部材
２    上飾
４    スライド部材
６    シーソー部材
７    筐体上壁
８    シール部材
９    基板
11a、11b    被押下部
12a、12b    スイッチパターン
13a、13b    当接部
16a、16b    被当接部
17a、17b    押下部
９９    デジタルカメラ
１００    スライドスイッチ
【図１】
2010170929.tif 000003
【図２】
2010170929.tif 000004
【図３】
2010170929.tif 000005
【図４】
2010170929.tif 000006
【図５】
2010170929.tif 000007
【図６】
2010170929.tif 000008
【図７】
2010170929.tif 000009
【図８】
2010170929.tif 000010
【図９】
2010170929.tif 000011
【図１０】
2010170929.tif 000012
【図１１】
2010170929.tif 000013